(57)【特許請求の範囲】
【請求項１】
ガードレールの支柱に対して締め付け抱持固定できる固定機構部を備えた基体の上部に、看板の左右の脚部を夫々取付保持する看板取付部を設け、前記固定機構部は、前記支柱の周側面に巻き付き抱持し得る締付体と，支柱の上面部に当接係止する上面係止体とを備えて、巻き付き抱持させた締付体で支柱を締め付けすることにより支柱に対して固定し得るように構成すると共に、上面係止体が支柱の上面部に当接係止することにより前記締付体の締め付け位置が下方へ移動しないように構成したことを特徴とする看板取付具。
【請求項２】
前記締付体は、Ｕ字状の抱持体と、この抱持体の開放部を閉塞する閉塞体とで環状に構成し、この抱持体を分断すると共にこの分断部同志を枢着することにより、この抱持体を回動して開くことができるように構成し、この抱持体を開くことで抱持体内への支柱の出し入れを行えるようにしたことを特徴とする請求項１記載の看板取付具。
【請求項３】
前記看板は、逆Ｖ字状に開いて載置される立て看板を使用し、前記看板取付部は、この看板を折り畳んだ際の左右の脚部を挿入し得る取付筒部を前記基体の上部左右に設けると共に、この取付筒部に係止装置を設けてこの係止装置により取付筒部に挿入した前記脚部を抜け止め状態に位置決め係止し得るように設けて構成したことを特徴とする請求項１，２のいずれか１項に記載の看板取付具。
【請求項４】
前記看板取付部を前記基体に対して水平左右方向にスライドさせて位置決め固定し得るスライド機構をこの基体に設けたことを特徴とする請求項１〜３のいずれか１項に記載の看板取付具。
【請求項５】
前記基体の上部左右に設けた看板取付部は、前記看板の左右の脚部間間隔に応じて対向間隔を伸縮調整自在に設けたことを特徴とする請求項１〜４のいずれか１項に記載の看板取付具。
【発明の詳細な説明】
【０００１】
【発明の属する技術分野】
本発明は、例えば道路に仮設される工事用の看板などをガードレールの支柱に取り付けて掲示することができる看板取付具に関するものである。
【０００２】
【従来の技術及び発明が解決しようとする課題】
従来、例えば、特開平６−３４６４１０号に示すような表示板（看板）用取付具がある。
【０００３】
この先願を簡単に説明すると、取付対象（ガードレール）に対して取り付けできる取付機構を備えた基体の上部に、看板を取付支承する看板取付部を設けた構成であって、この取付機構は、上下アームを有し、この上下アームでガードレールの上下縁部を挟持固定することによりガードレールに対してこの看板取付具を固定する構成であった。
【０００４】
このような構成の先願によれば、ガードレールに看板を取り付けるために道路幅を狭くすることもないし、風で看板が簡単に倒れてしまうようなこともないなどの利点を有するものであった。
【０００５】
しかしながら、この従来の看板取付具においては、ガードレールを上下アームで挟持固定する構成上、この上下アームの先端がガードレールの表側に突出することになり、とするとこのガードレールに車両やオートバイなどが激突した際には、このガードレールの表側に突出している上下アーム先端が凶器となって、ドライバーやライダーが更に負傷を負ってしまう危険性があった。
【０００６】
本発明は、このような従来の看板取付具の欠点を見い出し、ガードレールに取り付けするのではなく、ガードレール裏側の支柱に取り付けする構成とすることで前記従来の欠点を解決し、しかも支柱に対して極めて強固に取り付けできる画期的な看板取付具を提供するものである。
【０００７】
【課題を解決するための手段】
添付図面を参照して本発明の要旨を説明する。
【０００８】
ガードレール１の支柱１Ａに対して締め付け抱持固定できる固定機構部３を備えた基体２の上部に、看板４の左右の脚部４Ａを夫々取付保持する看板取付部５を設け、前記固定機構部３は、前記支柱１Ａの周側面に巻き付き抱持し得る締付体６と，支柱１Ａの上面部に当接係止する上面係止体７とを備えて、巻き付き抱持させた締付体６で支柱１Ａを締め付けすることにより支柱１Ａに対して固定し得るように構成すると共に、上面係止体７が支柱１Ａの上面部に当接係止することにより前記締付体６の締め付け位置が下方へ移動しないように構成したことを特徴とする看板取付具に係るものである。
【０００９】
また、前記締付体６は、Ｕ字状の抱持体６Ａと、この抱持体６Ａの開放部を閉塞する閉塞体６Ｂとで環状に構成し、この抱持体６Ａを分断すると共にこの分断部同志を枢着することにより、この抱持体６Ａを回動して開くことができるように構成し、この抱持体６Ａを開くことで抱持体６Ａ内への支柱１Ａの出し入れを行えるようにしたことを特徴とする請求項１記載の看板取付具に係るものである。
【００１０】
また、前記看板４は、逆Ｖ字状に開いて載置される立て看板４を使用し、前記看板取付部５は、この看板４を折り畳んだ際の左右の脚部４Ａを挿入し得る取付筒部８を前記基体２の上部左右に設けると共に、この取付筒部８に係止装置９を設けてこの係止装置９により取付筒部８に挿入した前記脚部４Ａを抜け止め状態に位置決め係止し得るように設けて構成したことを特徴とする請求項１，２のいずれか１項に記載の看板取付具に係るものである。
【００１１】
また、前記看板取付部５を前記基体２に対して水平左右方向にスライドさせて位置決め固定し得るスライド機構１０をこの基体２に設けたことを特徴とする請求項１〜３のいずれか１項に記載の看板取付具に係るものである。
【００１２】
また、前記基体２の上部左右に設けた看板取付部５は、前記看板４の左右の脚部４Ａ間間隔に応じて対向間隔を伸縮調整自在に設けたことを特徴とする請求項１〜４のいずれか１項に記載の看板取付具に係るものである。
【００１３】
【発明の実施の形態】
好適と考える本発明の実施の形態（発明をどのように実施するか）を、図面に基づいてその作用効果を示して簡単に説明する。
【００１４】
ガードレール１の支柱１Ａに固定機構部３の締付体６を締め付け抱持固定して基体２を支柱１Ａに固定し、この基体２の上部に設けた看板取付部５に看板４の左右の脚部４Ａを取付保持することで、ガードレール１に看板４が掲示される。
【００１５】
この際、締付体６で支柱１Ａを締め付け抱持するために、基体２を支柱１Ａに対して強固に固定することができ、また、看板取付部５が看板４の左右の脚部４Ａを夫々取付保持するから、看板４も安定的に保持されることになる。
【００１６】
しかも、上面係止体７が支柱１Ａの上面部に当接係止することで締め付け抱持を緩めた仮止め状態でも締付体６の締め付け位置が下方へずれ下がったりすることがなく、看板４は常に一定の高さに保持されているから、その後の締付体６の締め付け操作を簡易に行うことができて取付作業を極めて容易に行うことができ、しかもこの仮止め状態では、支柱１Ａを軸にして基体２を回転させて看板取付部５に保持した看板４の方向を自由に変えることもでき、これによってガードレール１に対して所望の角度に看板４を設置することも極めて容易に行うことができる。
【００１７】
従って、従来品と同様に道路幅を狭くしたりすることも看板４が倒れたりすることも防止される秀れた看板取付具となる上、本発明品をガードレール１に取り付けることによってガードレール１の表側に突出するようなものがないために、従来品のようなガードレール１に対する事故衝突時の危険性もないなど極めて実用性に秀れた画期的な看板取付具となる。
【００１８】
【実施例】
本発明の具体的な実施例について図面に基づいて説明する。
【００１９】
本実施例は、ガードレール１の支柱１Ａに対して締め付け抱持固定できる固定機構部３を備えた基体２の上部に、看板４の左右の脚部４Ａを夫々取付保持する看板取付部５を設けている。
【００２０】
基体２は、図１に示すように棒状体をＴ型に組んで構成し、この基体２の垂下杆部２Ａに前記固定機構部３を設け、水平杆部２Ｂに前記看板取付部５を設けている。
【００２１】
固定機構部３は、前記支柱１Ａの周側面に巻き付き抱持し得る締付体６と、支柱１Ａの上面部に当接係止する上面係止体７を備えた構成とし、巻き付き抱持させた締付体６で支柱１Ａを締め付けすることにより支柱１Ａに対して固定し得るように構成すると共に、上面係止体７により前記締付体６の締め付け位置が下方へ移動しないように構成している。
【００２２】
具体的に説明すると、締付体６は、Ｕ字状の線材で構成した抱持体６Ａと、この抱持体６Ａの開放部を閉塞して環状とする所定長さのチャンネル材で構成した閉塞体６Ｂとから成る構成としている。また、この閉塞体６Ｂは、遊離両端が存する開放部側を抱持体６Ａと対向させて配置し、この開放部側の側面部に支柱１Ａの周側面に当接係止する円弧状の受凹部１１を形成している。
【００２３】
また、この閉塞体６Ｂによる抱持体６Ａの閉塞構造は、抱持体６Ａの遊離両端に雄ネジ１３を形成する一方、閉塞体６Ｂの両端部に夫々前記抱持体６Ａの遊離両端（雄ネジ１３）を挿通し得る貫通孔１２を形成し、この貫通孔１２に雄ネジ１３を挿通した後、閉塞体６Ｂの外側から雄ネジ１３に蝶ナット１４を螺着することにより閉塞体６Ｂを抜け止め状態に保持し、締付体６を閉塞環状とする構成としている。
【００２４】
そして、抱持体６Ａと閉塞体６Ｂとで支柱１Ａを巻き付き抱持し、雄ネジ１３に螺着した蝶ナット１４を締付螺動することにより抱持体６Ａと閉塞体６Ｂとで支柱１Ａを締め付け抱持して支柱１Ａに対して基体２を固定できるように構成している。
【００２５】
また、この抱持体６Ａは、一方の遊離端部寄り位置で分断し、この分断部同士を枢着することにより、一方の遊離端部に対してＪ字状の抱持杆部６Ａ’を水平方向に回動自在に設けている。そして、この抱持杆部６Ａ’の端部が挿通する前記貫通孔１２を閉塞体６Ｂの端部側に開放した孔に形成し、この抱持杆部６Ａ’の端部に螺着した蝶ナット１４を緩めると、図２に示したように抱持杆部６Ａ’を開くことができ、この際、締付体６内への支柱１Ａの出し入れが行えるように構成している。従って、締付体６内への支柱１Ａの出し入れ作業を容易に行うことができる上、この締付体６の開閉構造は簡易に設計実現可能な構成であり、量産性に秀れ安価に構成可能となる。
【００２６】
本実施例では、この締付体６を、抱持体６Ａ側を外側として基体２の垂下杆部２Ａの上下二箇所に突設状態に付設した構成としている。
【００２７】
上面係止部７は、上側の前記締付体６より上方位置に設けているもので、締付体６の突出方向と同方向に突設させた板状突片により構成している。
【００２８】
従って、本実施例においては、支柱１Ａに対して前記締付体６を緩めた仮止め状態であっても、上面係止部７が支柱１Ａの上面に係止していることによって締付体６の締め付け位置が下方へ移動することがなく、これにより看板４は常に一定の高さに保持されているので、その後の締め付け操作を簡易に行うことができ、取付作業を極めて容易に行うことができる。
【００２９】
また、この締付体６の締付を緩めた状態では、支柱１Ａを軸にして基体２を回転させて看板取付部５に保持した看板４の方向を自由に変えることもでき、これによってガードレール１に対して所望の角度に看板４を設置することもに極めて容易に行うことができる構成としている。この際、前記したように、円弧状の受凹部１１と抱持体６Ａの湾曲杆部とで支柱１Ａを仮抱持しているために回転させ易く、また、締付抱持時にも支柱１Ａを傷付けにくい構成としている。
【００３０】
看板取付部５について説明すると、前記基体２の水平杆部２Ｂの両端部に角筒状の取付筒部８を一体的に設けて、この両側の取付筒部８に看板４の左右の脚部４Ａを差し込み挿入し得るように構成し、更にこの取付筒部８に、差し込み挿入した脚部４Ａを係止固定する係止装置９を設けた構成としている。
【００３１】
また、この係止装置９について説明すると、単に回動操作することによって取付筒部８内にねじ込まれることとなるねじ込み摘まみ９Ａを取付筒部８に設け、取付筒部８に看板４の脚部４Ａを差し込み挿入した後、このねじ込み摘まみ９Ａを回転操作してねじ込むと脚部４Ａが取付筒部８に締め付け係止固定される構成としている。また、ねじ込み摘まみ９Ａを逆回しすることで、脚部４Ａの係止固定状態が解除されて脚部４Ａを取付筒部８から取り外し可能となる。
【００３２】
従って、看板４を確固に固定できる上に、脱着操作も容易となり、しかもこの固定構造は簡易に設計実現可能な構成であるため、量産性に秀れ安価に構成可能となる。
【００３３】
尚、本実施例の看板４は、詳しく図示していないが、道路工事現場などで多く見られる逆Ｖ型にして設置される一般的な看板４を採用しているもので、この看板４を折り合わせ重合させた状態で使用している。即ち、本実施例では、既存の看板４をそのまま掲示することができるように構成している。また、この看板４は、左右に脚部４Ａを有するものであれば、逆Ｖ型に設置される看板４以外のものでも看板取付部５に取付保持可能である。
【００３４】
また、本実施例では、看板取付部５を前記基体２に対して水平左右方向にスライドさせて位置決め固定し得るスライド機構１０をこの基体２に設けている。
【００３５】
スライド機構１０は、前記垂下杆部２Ａの上端部にこの垂下杆部２Ａの長さ方向と直交する方向に長さを有するガイド筒部１５を一体的に設け、このガイド筒部１５に前記水平杆部２Ｂをスライド自在に嵌挿した構成としている。
【００３６】
また、このガイド筒部１５には、図３に示すように、回動操作することによって水平杆部２Ｂに向けてねじ込まれる固定用ハンドル１６を設け、この固定用ハンドル１６を回転操作してねじ込みするとガイド筒部１５に対して水平杆部２Ｂが固定されることになり、逆に固定用ハンドル１６を緩めると水平杆部２Ｂの固定状態が解除されてガイド筒部１５に対してこの水平杆部２Ｂがスライド自在となる構成としている。
【００３７】
従って、このスライド機構１０により本実施例では、例えば看板４が道路側に出過ぎない位置にまで掲示位置を適正な位置に調整設定することができる構成としている。また、このスライド機構１０の固定・解除操作は簡易操作で行える上に、このスライド機構１０構造は簡易に設計実現可能な構成であるため、量産性に秀れ安価に構成可能となる。
【００３８】
また、本実施例では、この基体２の上部左右に設けた看板取付部５は、前記看板４の左右の脚部４Ａ間間隔に応じて対向間隔を伸縮調整自在に設けている。
【００３９】
具体的に説明すると、図４に示すように、前記水平杆部２Ｂは、大径筒１７内に小径杆１８をスライド自在に嵌挿して成る構成とし、使用する看板４の左右の脚部４Ａ間間隔に応じてこの大径筒１７に対し小径杆１８を引き出しスライドさせたり押し入れスライドさせて看板取付部５の対向間隔を調整変更できるように構成している。
【００４０】
また、図３，図４に示すように、小径杆１８の挿入先端側端部に突没ピン２０を弾性体２１により常に外方へ突出付勢される状態にして設ける一方、この突没ピン２０が突出嵌合する貫通穴１９を大径筒１７の両端部に形成した構成としている。即ち、本実施例は、水平杆部２Ｂを最も短くした状態（図１の状態）では突没ピン２０が図面右側の貫通穴１９に突出嵌合係止して大径筒１７に対し小径杆１８が位置決めされ、また、水平杆部２Ｂを最も長くした状態（図４の状態）では突没ピン２０が図面左側の貫通穴１９に突出嵌合係止して大径筒１７に対し小径杆１８が位置決めされる構成としている。
【００４１】
従って、この突没ピン２０と貫通穴１９とによる位置決め構造により、水平杆部２Ｂを短くしておいた場合には、勝手に水平杆部２Ｂが伸びたりすることがないため、例えば本製品の収納時などには非常に便利となり、また、水平杆部２Ｂを長くする際には、必ず突没ピン２０が図面左側の貫通穴１９に突出嵌合係止することになるので、小径杆１８が大径筒１７から抜け外れてしまうようなことも確実に防止できる構成としている。
【００４２】
また、この突没ピン２０と貫通穴１９とによる位置決め構造は、簡易に設計実現可能な構成であり、量産性に秀れ安価に構成可能となる。
【００４３】
尚、図５は別実施例であり、上記実施例において、前記スライド機構１０と、前記看板取付部５の対向間隔調整構造とを要しない構成とした場合である。
【００４４】
【発明の効果】
本発明は上述のように構成したから、本発明品によりガードレールに看板を極めて安定的に掲示することができるし、本発明品でガードレールに看板を掲示することで、従来品と同様に道路幅を狭くしたりすることも看板が倒れたりすることも防止される秀れた看板取付具となり、しかも本発明品においては、ガードレールの支柱に取り付ける構成としたことによってガードレールの表側に突出するようなものがないために、従来品のようなガードレールに対する事故衝突時の危険性もないなど極めて実用性に秀れた画期的な看板取付具となる。
【００４５】
また、本発明においては、前記作用効果を確実に発揮する固定機構部を簡易に設計実現可能となり、しかも、上面係止体が支柱の上面部に当接係止することで締め付け抱持を緩めた仮止め状態でも締付体の締め付け位置が下方へずれ下がったりすることがなく、看板は常に一定の高さに保持されているから、その後の締付体の締め付け操作を簡易に行うことができて取付作業を極めて容易に行うことができ、しかもこの仮止め状態では、支柱を軸にして基体を回転させて看板取付部に保持した看板の方向を自由に変えることもでき、これによってガードレールに対して所望の角度に看板を設置することも極めて容易に行うことができるなど一層実用性に秀れた看板取付具となる。
【００４６】
また、請求項２記載の発明においては、締付体内への支柱の出し入れ作業を容易に行うことができる上、この締付体の開閉構造は簡易に設計実現可能な構成であり、量産性に秀れ、安価に構成可能となる秀れた構成の看板取付具となる。
【００４７】
また、請求項３記載の発明においては、看板取付部を簡易構成にして容易に設計実現可能となり、しかも係止装置によって看板を確固に固定できるため、一層看板を安定的に取付保持できることになるなど極めて実用性に秀れた看板取付具となる。
【００４８】
また、請求項４記載の発明においては、スライド機構を介して基体に対して看板取付部を水平方向にスライド移動調整できるため、ガードレールに対して所望の位置に看板を掲示することが一層容易に行えることとなり、例えば看板が道路の方に出過ぎないように調整することも極めて容易に行える秀れた構成の看板取付具となる。
【００４９】
また、請求項５記載の発明においては、様々な大きさの看板を看板取付部に取付できることになるので、一層汎用性に秀れ、実用性に秀れた構成の看板取付具となる。
【図面の簡単な説明】
【図１】本実施例の使用状態を示す説明斜視図である。
【図２】図１の平面図である。
【図３】本実施例のスライド機構を示す説明斜視図である。
【図４】本実施例の看板取付部の対向間隔の調整構造を示す説明斜視図である。
【図５】別実施例の使用状態を示す説明斜視図である。
【符号の説明】
１  ガードレール
１Ａ  支柱
２  基体
３  固定機構部
４  看板
４Ａ  脚部
５  看板取付部
６  締付体
６Ａ  抱持体
６Ｂ  閉塞体
７  上面係止体
８  取付筒部
９  係止装置
１０  スライド機構
【図１】
0003553445.tif 000002
【図２】
0003553445.tif 000003
【図３】
0003553445.tif 000004
【図４】
0003553445.tif 000005
【図５】
0003553445.tif 000006